(57)【要約】【課題】各種電子機器に使用される開閉装置に関し、小型化や軽量化が図れ、確実な操作が可能なものを提供することを目的とする。【解決手段】略リング状の可動体１３内周にピン状に突出した可動カム１４の、凹凸状の固定カム２が弾接する根元に傾斜部１４Ａを設けることによって、傾斜部１４Ａに固定カム２が弾接し、固定カム２に加わる外周方向への力を緩和できるため、固定カム２の折曲や固定体１の開き等を防ぎ、小型化や軽量化が図れ、確実な操作が可能な開閉装置を得ることができる。【選択図】図１
2008281046.tif 000002
【特許請求の範囲】
【請求項１】
端面に凹凸状の固定カムが設けられた略円筒状の固定体と、この固定体に対し回転可能に配置されると共に、内周にピン状に突出した可動カムが設けられた略リング状の可動体と、上記可動カムを上記固定カムへ弾接させるばねからなり、上記固定カムが弾接する上記可動カムの根元に傾斜部を設けた開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進むなか、固定筐体に対し可動筐体が開閉可能に装着された、所謂、折畳み式のものが増えており、これらに用いられる開閉装置においても、確実で良好な開閉操作を行えるものが求められている。
【０００３】
このような従来の開閉装置について、図４〜図６を用いて説明する。
【０００４】
なお、これらの図面の内、断面図は固定カムと可動カムの関係を判り易くするため、径方向を拡大して表わしている。
【０００５】
図５は従来の開閉装置の断面図、図６は同分解斜視図であり、同図において、１は左端面に一対の固定部１Ａが形成された略円筒状の固定体で、金属板が巻回され端部が嵌合されて形成されると共に、右端面外周には、突出部２Ａ、及びこの突出部２Ａから上下へ延出する二つの傾斜部２Ｂ、２Ｃから形成された、一対の凹凸状の固定カム２が設けられている。
【０００６】
また、３は略リング状で金属製の可動体で、固定体１に対し開閉方向へ回転可能に、かつ軸線方向へ移動可能に配置されると共に、一対のピン状の可動カム４が可動体３内周に対向して突出形成されている。
【０００７】
そして、５は略円筒状で金属製の可動ケース、６はコイル状で鋼線製のばねで、この可動ケース５内に固定体１や可動体３が収納されると共に、可動体３右端面と可動ケース５内側面の間に、ばね６がやや撓んだ状態で装着され、このばね６によって可動体３が左方向へ付勢されて、可動カム４が固定カム２の傾斜部２Ｂへ弾接している。
【０００８】
さらに、可動ケース５には外方へ突出する一対の溝部５Ａが、可動体３外周には外方へ突出する一対の凸部３Ａが設けられ、この凸部３Ａが溝部５Ａに挿入されることによって、可動体３が可動ケース５に対し軸線方向へは移動可能で、回転方向へは一体となって回転するように形成されている。
【０００９】
また、７は略円柱状の固定軸、８は左端面に平坦部８Ａが形成された固定カバーで、この固定カバー８に固定軸７左端や固定体１の固定部１Ａが固着されると共に、固定軸７の右端部は可動体３中央やばね６を挿通し、止め輪９によって可動ケース５外側面に回転可能に装着されて、開閉装置１０が構成されている。
【００１０】
そして、このように構成された開閉装置１０が、例えば、図４の携帯電話の斜視図に示すように、固定カバー８の平坦部８Ａが上面に複数のキーからなる操作部１１Ａやマイクロフォン等の音声入力部１１Ｂが形成された固定筐体１１へ、可動ケース５の溝部５Ａ外周が、表面に液晶表示素子等の表示部１２Ａやスピーカ等の音声出力部１２Ｂが形成された可動筐体１２へ各々固着され、開閉装置１０によって固定筐体１１に対して可動筐体１２が開閉可能に軸支されて電子機器が構成される。
【００１１】
以上の構成において、可動カム４が固定カム２下側の傾斜部２Ｂへ弾接した状態では、可動体３がばね６によって下方向の閉方向へ付勢されているため、可動ケース５が装着された可動筐体１２は、固定筐体１１に対して閉じた状態で保持されている。
【００１２】
そして、この閉状態から、可動筐体１２を手で開くと、可動筐体１２にガイド溝部５Ａが装着固定された可動ケース５が回転し、可動体３が可動ケース５内を右方向の軸線方向へ回転しながら移動して、可動カム４が固定カム２の突出部２Ａを超えて、上側の傾斜部２Ｃへ弾接すると、可動体３が開方向へ付勢されるため、この力によって可動筐体１２に開く方向の力が加わり、可動筐体１２が固定筐体１１に対して所定角度に開いた状態となる。
【００１３】
つまり、可動筐体１２に装着された可動ケース５を回転させることによって、ばね６に付勢された可動体３を軸線方向へ移動させ、可動カム４を固定カム２の傾斜部２Ｂまたは２Ｃのいずれかへ弾接させて、固定筐体１１に対する可動筐体１２の開閉操作が行われるように構成されている。
【００１４】
なお、以上のような開閉装置１０において、一対の固定カム２には、図５に示すように、ばね６に付勢された可動カム４によって、一般に外周方向への力が加わるため、板状の固定体１の厚さをあまり薄くすると、固定カム２の折曲や変形、或いは固定体１が開いて割れ等が生じてしまう。
【００１５】
したがって、確実で安定した開閉操作を行うには、固定体１をあまり薄い形状に形成することができないため、開閉装置全体の小型化や軽量化を図ることには限界のあるものであった。
【００１６】
なお、この出願の発明に関連する先行技術文献情報としては、例えば、特許文献１が知られている。
【特許文献１】特開２００７−３２６６１号公報
【発明の開示】
【発明が解決しようとする課題】
【００１７】
しかしながら、上記従来の開閉装置においては、固定カム２の折曲や固定体１の開き等を防ぐため、固定体１の厚さをあまり薄くすることができず、開閉装置全体の小型化や軽量化を図ることが困難であるという課題があった。
【００１８】
本発明は、このような従来の課題を解決するものであり、小型化や軽量化が図れ、確実な操作が可能な開閉装置を提供することを目的とする。
【課題を解決するための手段】
【００１９】
上記目的を達成するために本発明は、略リング状の可動体内周にピン状に突出した可動カムの、凹凸状の固定カムが弾接する根元に傾斜部を設けて開閉装置を構成したものであり、傾斜部に固定カムが弾接し、固定カムに加わる外周方向への力を緩和できるため、固定カムの折曲や固定体の開き等を防ぎ、小型化や軽量化が図れ、確実な操作が可能な開閉装置を得ることができるという作用を有するものである。
【発明の効果】
【００２０】
以上のように本発明によれば、小型化や軽量化が図れ、確実な操作が可能な開閉装置を実現することができるという有利な効果が得られる。
【発明を実施するための最良の形態】
【００２１】
以下、本発明の実施の形態について、図１〜図４を用いて説明する。
【００２２】
なお、これらの図面の内、断面図は固定カムと可動カムの関係を判り易くするため、径方向を拡大して表わしている。
【００２３】
また、背景技術の項で説明した構成と同一構成の部分には同一符号を付して、詳細な説明を簡略化する。
【００２４】
（実施の形態）
図１は本発明の一実施の形態による開閉装置の断面図、図２は同分解斜視図、図３は同要部斜視図であり、同図において、１は左端面に一対の固定部１Ａが形成された略円筒状の固定体で、鋼や銅合金等の金属板が巻回され端部が嵌合されて形成されると共に、右端面外周には、突出部２Ａ、及びこの突出部２Ａから上下へ延出する二つの傾斜部２Ｂ、２Ｃから形成された、一対の凹凸状の固定カム２が設けられている。
【００２５】
また、１３は略リング状で鋼や銅合金、焼結合金等の金属製の可動体で、固定体１に対し開閉方向へ回転可能に、かつ軸線方向へ移動可能に配置されると共に、一対のピン状の可動カム１４が可動体１３内周に対向して突出形成され、この可動カム１４の根元には傾斜部１４Ａが設けられている。
【００２６】
そして、５は略円筒状で金属製の可動ケース、６はコイル状で鋼線製のばねで、この可動ケース５内に固定体１や可動体１３が収納されると共に、可動体１３右端面と可動ケース５内側面の間に、ばね６がやや撓んだ状態で装着され、このばね６によって可動体１３が左方向へ付勢されて、可動カム１４根元の傾斜部１４Ａが固定カム２の傾斜部２Ｂへ弾接している。
【００２７】
さらに、可動ケース５には外方へ突出する一対の溝部５Ａが、可動体１３外周には外方へ突出する一対の凸部１３Ａが設けられ、この凸部１３Ａが溝部５Ａに挿入されることによって、可動体１３が可動ケース５に対し軸線方向へは移動可能で、回転方向へは一体となって回転するように形成されている。
【００２８】
また、７は略円柱状の固定軸、８は左端面に平坦部８Ａが形成された固定カバーで、この固定カバー８に固定軸７左端や固定体１の固定部１Ａが固着されると共に、固定軸７の右端部は可動体１３中央やばね６を挿通し、止め輪９によって可動ケース５外側面に回転可能に装着されて、開閉装置２０が構成されている。
【００２９】
そして、このように構成された開閉装置２０が、例えば、図４の携帯電話の斜視図に示すように、固定カバー８の平坦部８Ａが上面に複数のキーからなる操作部１１Ａやマイクロフォン等の音声入力部１１Ｂが形成された固定筐体１１へ、可動ケース５の溝部５Ａ外周が、表面に液晶表示素子等の表示部１２Ａやスピーカ等の音声出力部１２Ｂが形成された可動筐体１２へ各々固着され、開閉装置２０によって固定筐体１１に対して可動筐体１２が開閉可能に軸支されて電子機器が構成される。
【００３０】
以上の構成において、可動カム１４が固定カム２下側の傾斜部２Ｂへ弾接した状態では、可動体１３がばね６によって下方向の閉方向へ付勢されているため、可動ケース５が装着された可動筐体１２は、固定筐体１１に対して閉じた状態で保持されている。
【００３１】
そして、この閉状態から、可動筐体１２を手で開くと、可動筐体１２にガイド溝部５Ａが装着固定された可動ケース５が回転し、可動体１３が可動ケース５内を右方向の軸線方向へ回転しながら移動して、可動カム１４が固定カム２の突出部２Ａを超えて、上側の傾斜部２Ｃへ弾接すると、可動体１３が開方向へ付勢されるため、この力によって可動筐体１２に開く方向の力が加わり、可動筐体１２が固定筐体１１に対して所定角度に開いた状態となる。
【００３２】
つまり、可動筐体１２に装着された可動ケース５を回転させることによって、ばね６に付勢された可動体１３を軸線方向へ移動させ、可動カム１４を固定カム２の傾斜部２Ｂまたは２Ｃのいずれかへ弾接させて、固定筐体１１に対する可動筐体１２の開閉操作が行われるように構成されている。
【００３３】
また、以上のような開閉操作時、一対の固定カム２には、ばね６に付勢された可動カム１４によって、一般に外周方向への力が加わるが、可動体１３内周の可動カム１４の根元には傾斜部１４Ａが形成され、これに固定カム２が弾接することによって、固定カム２への外周方向への力が緩和されるようになっている。
【００３４】
つまり、可動カム１４根元の傾斜部１４Ａに固定カム２を弾接させ、固定カム２に加わる外周方向への力を緩和して、固定カム２の折曲や固定体１の開き等を防ぐことによって、確実な開閉操作が行えると共に、固定体１の厚さを薄くしたり形状を小さくしたりすることで、開閉装置２０全体の小型化や軽量化を図ることが可能なように構成されている。
【００３５】
なお、可動カム１４根元の傾斜部１４Ａは、円弧状の所謂アール形状に形成してもよいが、上記のように直線状の所謂面取り形状とする方が、固定カム２の外周方向への力を緩和するという効果は大きく、また、傾斜部１４Ａの内周側よりも外周側に固定カム２を弾接させる方がより好ましい。
【００３６】
このように本実施の形態によれば、略リング状の可動体１３内周にピン状に突出した可動カム１４の、凹凸状の固定カム２が弾接する根元に傾斜部１４Ａを設けることによって、傾斜部１４Ａに固定カム２が弾接し、固定カム２に加わる外周方向への力を緩和できるため、固定カム２の折曲や固定体１の開き等を防ぎ、小型化や軽量化が図れ、確実な操作が可能な開閉装置を得ることができるものである。
【００３７】
なお、以上の説明では、手で可動筐体１２を開閉操作し、これに固着された可動ケース５を回転させる構成について説明したが、押釦や、可動カム１４の固定カム２への弾接位置を反転させる反転カム等の部品を設け、手による開閉操作に加え、閉状態から押釦の押圧操作によって可動筐体１２を自動的に開く、所謂、ワンプッシュオープン構造の開閉装置においても、本発明の実施は可能である。
【産業上の利用可能性】
【００３８】
本発明による開閉装置は、小型化や軽量化が図れ、確実な操作が可能なものを得ることができ、各種電子機器に使用される開閉装置として有用である。
【図面の簡単な説明】
【００３９】
【図１】本発明の一実施の形態による開閉装置の断面図
【図２】同分解斜視図
【図３】同要部斜視図
【図４】携帯電話の斜視図
【図５】従来の開閉装置の断面図
【図６】同分解斜視図
【符号の説明】
【００４０】
１  固定体
１Ａ  固定部
２  固定カム
２Ａ  突出部
２Ｂ、２Ｃ  傾斜部
５  可動ケース
５Ａ  溝部
６  ばね
７  固定軸
８  固定カバー
８Ａ  平坦部
９  止め輪
１１  固定筐体
１１Ａ  操作部
１１Ｂ  音声入力部
１２  可動筐体
１２Ａ  表示部
１２Ｂ  音声出力部
１３  可動体
１３Ａ  凸部
１４  可動カム
１４Ａ  傾斜部
２０  開閉装置
【図１】
2008281046.tif 000003
【図２】
2008281046.tif 000004
【図３】
2008281046.tif 000005
【図４】
2008281046.tif 000006
【図５】
2008281046.tif 000007
【図６】
2008281046.tif 000008